【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
ミドルベッドのベッド部の下方の空間部にラックやタンス等の収納体を配置し、ベッドの前面側に机を配置して使用するベッドと机の組合せ家具において、前記机の天板の上面より高い位置の前記空間部に、書籍等の物品を収容可能な上部空間を確保するとともに、前記机の天板の高さと、前記収納体の棚板又は上面板の高さを略一致させ、前記ベッドの前面側で、前記机の側部又は後部を前記収納体に近接させて配置し、前記机の天板と前記収納体の棚板又は上面板とを連続させて該棚板又は上面板を手元棚として利用することを特徴とするベッドと机の組合せ家具。
【請求項２】
前記ベッドの空間部に複数の収納体を配置し、全ての収納体の棚板同士又は上面板同士又は特定の収納体の棚板と他の収納体の上面板の高さを略同一に設定してなる請求項１記載のベッドと机の組合せ家具。
【請求項３】
前記机の天板の上面の高さと、前記収納体の上面板の上面の高さを略一致させ、該上面板の上面を手元棚として利用してなる請求項１又は２記載のベッドと机の組合せ家具。
【請求項４】
前記上部空間の高さを１０ｃｍ〜４０ｃｍの範囲とし、前記机の天板と収納体の棚板の高さを略同じに設定してなる請求項１〜３何れかに記載のベッドと机の組合せ家具。
【請求項５】
前記机の天板の横幅を奥行幅の２倍に設定し、少なくとも二つの横幅が同じ収納体を有するとともに、該収納体の横幅を机の天板の奥行幅に略一致させてなる請求項１〜４何れかに記載のベッドと机の組合せ家具。
【請求項６】
ミドルベッドのベッド部の下方の空間部にラックやタンス等の収納体を配置し、ベッドの前面側に机を配置して使用するベッドと机の組合せ家具において、前記ミドルベッドの空間部の前面側寄りには、背後に広い空間部を残して複数の収納体を並べて設置するとともに、前記ベッドの前面側に机の側部又は後部を前記収納体に近接させて配置し、複数の前記収納体の内、一つを下面にキャスターを設けた移動型ラックとしたことを特徴とするベッドと机の組合せ家具。
【請求項７】
前記机の天板の上面より高い位置の前記空間部に、書籍等の物品を収容可能な上部空間を確保するとともに、前記机の天板の高さと、前記収納体の棚板又は上面板の高さを略一致させ、前記机の天板と前記収納体の棚板又は上面板とを連続させて該棚板又は上面板を手元棚として利用してなる請求項６記載のベッドと机の組合せ家具。
【手続補正２】
【補正対象書類名】明細書
【補正対象項目名】全文
【補正方法】変更
【補正の内容】
【発明の詳細な説明】
【発明の名称】ベッドと机の組合せ家具
【技術分野】
【０００１】
本発明は、ベッドと机の組合せ家具に係わり、更に詳しくは手元棚を利用できるベッドと机の組合せ家具に関するものである。
【背景技術】
【０００２】
従来から、二段ベッドの上段ベッド部又はミドルベッドのベッド部の下方を開放して空間部を形成し、該空間部内に、机を始め、ラック（整理棚）、書棚、タンス等を配置して複合化した家具は各種提供されている。ここで、二段ベッドの場合、空間部の高さが高いので、空間部内で机を使用することができるように、例えばベッドの脚部に天板を支持した構造のものもある。勿論、独立した机をベッドの空間部に配置することもある。一方、ミドルベッドの場合、ベッド部の高さが１２０ｃｍ以下と定められているので、空間部内では窮屈なためベッドの空間部内には、ラックや書棚を配置し、机をベッドの前面側に配置して使用することが多い。この場合、机を使用しないときに空間部内に押し込んで格納することもある。
【０００３】
例えば、特許文献１には、上段をベッド部とするとともに、下段を作業空間部とし、該作業空間部に机を配してなるベッドと机の組合せ家具であって、前記ベッド部の四隅を支持する４本の支柱のうち、正面側の一対の支柱間を開放部とし、他の支柱間を上下に間隔を置いて複数の横桟で連結するとともに、該横桟を利用して棚板等のオプションを係止可能としたベッドと机の組合せ家具が記載されている。この特許文献１に記載のものは二段ベッドをベースとしており、空間部内に配置した机に手元棚を設けることができた。
【０００４】
また、特許文献２には、上段をベッド部とするとともに、下段を空間部としたベッドと、該空間部に机、整理棚及びタンスを押し込み格納可能となっているベッドと机の組合せ家具が記載されている。前記ベッドは、両側に配した側部脚の上部間に側柵体を連結するとともに、両側部脚と側柵体とで囲まれた上部に床部材を保持してベッド部を構成したものであり、ミドルベッドを前提としている。
【先行技術文献】
【特許文献】
【０００５】
【特許文献１】特開２００４−０２４４２５号公報
【特許文献２】特開２００８−３０１９７６号公報
【発明の概要】
【発明が解決しようとする課題】
【０００６】
しかしながら、従来のミドルベッドを前提とした机との組合せ家具では、ベッドの空間部にラックやタンスを配置し、机をベッドの前面側に並べて配置して使用するが、机の近くには着座したまま容易に使用できる手元棚が存在しなかった。つまり、机の天板の高さと比較してラックの棚板が極端に低かったり、また机の天板とラックの上面板が同一高さであっても、ラックの上面板の上方に空間がなく、上面板の上の空間を棚板として使用できるものはなかった。
【０００７】
そこで、本発明が前述の状況に鑑み、解決しようとするところは、ミドルベッドのベッド部の下方の空間部にラックやタンス等の収納体を配置し、ベッドの前面側に机を配置して使用するベッドと机の組合せ家具において、机の近傍に手元棚を設けて使用勝手を向上させたベッドと机の組合せ家具を提供する点にある。
【課題を解決するための手段】
【０００８】
本発明は、前述の課題解決のために、ミドルベッドのベッド部の下方の空間部にラックやタンス等の収納体を配置し、ベッドの前面側に机を配置して使用するベッドと机の組合せ家具において、前記机の天板の上面より高い位置の前記空間部に、書籍等の物品を収容可能な上部空間を確保するとともに、前記机の天板の高さと、前記収納体の棚板又は上面板の高さを略一致させ、前記ベッドの前面側で、前記机の側部又は後部を前記収納体に近接させて配置し、前記机の天板と前記収納体の棚板又は上面板とを連続させて該棚板又は上面板を手元棚として利用することを特徴とするベッドと机の組合せ家具を構成した（請求項１）。
【０００９】
ここで、前記ベッドの空間部に複数の収納体を配置し、全ての収納体の棚板同士又は上面板同士又は特定の収納体の棚板と他の収納体の上面板の高さを略同一に設定してなることも好ましい（請求項２）。
【００１０】
また、前記机の天板の上面の高さと、前記収納体の上面板の上面の高さを略一致させ、該上面板の上面を手元棚として利用してなることも好ましい（請求項３）。
【００１１】
そして、前記上部空間の高さを１０ｃｍ〜４０ｃｍの範囲とし、前記机の天板と収納体の棚板の高さを略同じに設定してなることがより好ましい（請求項４）。
【００１２】
また、前記机の天板の横幅を奥行幅の２倍に設定し、少なくとも二つの横幅が同じ収納体を有するとともに、該収納体の横幅を机の天板の奥行幅に略一致させてなることも好ましい。（請求項５）
【００１３】
また、本発明は、ミドルベッドのベッド部の下方の空間部にラックやタンス等の収納体を配置し、ベッドの前面側に机を配置して使用するベッドと机の組合せ家具において、前記ミドルベッドの空間部の前面側寄りには、背後に広い空間部を残して複数の収納体を並べて設置するとともに、前記ベッドの前面側に机の側部又は後部を前記収納体に近接させて配置し、複数の前記収納体の内、一つを下面にキャスターを設けた移動型ラックとしたことを特徴とするベッドと机の組合せ家具を構成した（請求項６）。
【００１４】
この場合も、前記机の天板の上面より高い位置の前記空間部に、書籍等の物品を収容可能な上部空間を確保するとともに、前記机の天板の高さと、前記収納体の棚板又は上面板の高さを略一致させ、前記机の天板と前記収納体の棚板又は上面板とを連続させて該棚板又は上面板を手元棚として利用してなることが好ましい（請求項７）。
【発明の効果】
【００１５】
以上にしてなる請求項１に係る発明のベッドと机の組合せ家具は、ミドルベッドのベッド部の下方の空間部にラックやタンス等の収納体を配置し、ベッドの前面側に机を配置して使用するベッドと机の組合せ家具において、前記机の天板の上面より高い位置の前記空間部に、書籍等の物品を収容可能な上部空間を確保するとともに、前記机の天板の高さと、前記収納体の棚板又は上面板の高さを略一致させ、前記ベッドの前面側で、前記机の側部又は後部を前記収納体に近接させて配置し、前記机の天板と前記収納体の棚板又は上面板とを連続させて該棚板又は上面板を手元棚として利用するので、机に着座したまま、机の天板の奥部又は側部に位置する収納体の棚板又は上面板に書籍や物品を載置して使用することができ、またその出し入れも容易であり、机として使用する場合の書籍等の収納空間を十分に確保することができる。
【００１６】
請求項２によれば、前記ベッドの空間部に複数の収納体を配置し、全ての収納体の棚板同士又は上面板同士又は特定の収納体の棚板と他の収納体の上面板の高さを略同一に設定してなるので、ベッドの前面側に机を近接して設置した際に、該机に近い全ての収納体で机の天板と略同じ高さの棚板又は上面板を手元棚として利用できるので、手元棚を確保しつつ机の配置に対する自由度が高くなる。
【００１７】
請求項３によれば、前記机の天板の上面の高さと、前記収納体の上面板の上面の高さを略一致させ、該上面板の上面を手元棚として利用してなるので、手元棚を確保しつつ机の配置に対する自由度が高くなる。
【００１８】
請求項４によれば、前記上部空間の高さを１０ｃｍ〜４０ｃｍの範囲とし、前記机の天板と収納体の棚板の高さを略同じに設定してなるので、収納体の棚板又は上面板の上位に、手元棚として十分なスペースの収容空間を確保することができる。
【００１９】
請求項５によれば、前記机の天板の横幅を奥行幅の２倍に設定し、少なくとも二つの横幅が同じ収納体を有するとともに、該収納体の横幅を机の天板の奥行幅に略一致させてなるので、机の後部をベッドの前面側に近接して配置すると、天板の横幅と二つの収納体の合計横幅が略一致し、また机の側部をベッドの前面側に近接して配置すると、天板の奥行幅と一つの収納体の横幅が略一致するので、外観性に優れる。
【００２０】
請求項６によれば、ミドルベッドのベッド部の下方の空間部にラックやタンス等の収納体を配置し、ベッドの前面側に机を配置して使用するベッドと机の組合せ家具において、前記ミドルベッドの空間部の前面側寄りには、背後に広い空間部を残して複数の収納体を並べて設置するとともに、前記ベッドの前面側に机の側部又は後部を前記収納体に近接させて配置し、複数の前記収納体の内、一つを下面にキャスターを設けた移動型ラックとしたので、収納体の背後の広い残余空間部に普段は使用しない大型の物品を保管することができ、そして移動型ラックを前方へ移動させて通路を形成すれば、該通路を通って大型物品を出し入れすることができる。
【００２１】
請求項７によれば、前記机の天板の上面より高い位置の前記空間部に、書籍等の物品を収容可能な上部空間を確保するとともに、前記机の天板の高さと、前記収納体の棚板又は上面板の高さを略一致させ、前記机の天板と前記収納体の棚板又は上面板とを連続させて該棚板又は上面板を手元棚として利用してなるので、机に着座したまま、机の天板の奥部又は側部に位置する収納体の棚板又は上面板に書籍や物品を載置して使用することができ、またその出し入れも容易であり、机として使用する場合の書籍等の収納空間を十分に確保することができる。
【図面の簡単な説明】
【００２２】
【図１】本発明のベッドと机の組合せ家具の正面置き使用形態を示し、机の後部をベッドの前面側に近接した配置した状態の斜視図である。
【図２】本発明のベッドと机の組合せ家具のＬ型置き使用形態を示し、机の側部をベッドの前面側に近接した配置した状態の斜視図である。
【図３】本発明に係るベッドと収納体の関係を示す分解斜視図である。
【図４】図２の使用形態の縦断面図である。
【発明を実施するための形態】
【００２３】
次に、添付図面に示した実施形態に基づき、本発明を更に詳細に説明する。図１及び図２は本発明のベッドと机の組合せ家具の代表的な使用形態を示し、図１は正面置き、図２はＬ型置きを示し、図３はベッドと収納体の関係を示す分解斜視図、図４はＬ型置きの使用形態の縦断面図であり、図中符号１はミドルベッド、２は机、３は収納体をそれぞれ示している。
【００２４】
本実施形態のミドルベッド１は、全高が１２０ｃｍ以下のものあり、ベッド部４の一側を固定的な脚体５で支持し、他側を着脱可能且つ付け替え可能なボックス体６で支持している。前記ベッド部４は、両側に配した側部支持板７，７の間に側柵体８，８を連結するとともに、両側部支持板７，７と側柵体８，８とで囲まれた下部に床部材９を保持して構成している。そして、一方の前記側部支持板７に前記脚体５を連結し、あるいは側部支持板７と脚体５を一体に設けている。前記ボックス体６は、前記ベッド部４の他側を載置し、ボルト等で連結している。
【００２５】
前記机２は、天板１０の両側を脚体１１，１１で支持するとともに、天板１０の下面で両脚体１１，１１の上端部間に引出し１２を設けた通常の構造のものであり、足入れ空間には移動可能なワゴン１３を配置できるようになっている。ここで、本実施形態では、前記机２の天板１０の横幅を奥行幅の２倍に設定している。
【００２６】
前記ミドルベッド１のベッド部４の下方には空間部１４を有し、前記机２の天板１０の上面より高い位置の前記空間部１４に、書籍等の物品を収容可能な上部空間１５を確保している。ここで、前記上部空間１５の高さを１０ｃｍ〜４０ｃｍの範囲としている。この上部空間１５の高さが１０ｃｍより低いと書籍を立てて収容することができず、物品を収容するのに十分とはいえない。また、上部空間１５の高さが４０ｃｍより高いと、子供用の机２の天板１０の高さが６０〜７０ｃｍとすれば、ベッド部４の上下寸法が１０〜２０ｃｍ以下となって現実的でない。更に好ましくは、上部空間１５の高さを１５〜３０ｃｍとするのが実用的である。また、前記ミドルベッド１のベッド部４には、一方の側部支持板７に梯子１６を掛けて乗り降りする。
【００２７】
前記収納体３は、前記ミドルベッド１の空間部１４内に収まる上下寸法を有し、前面側にオープンな棚を有することを基本としている。前記収納体３として、本実施形態では静置型ラック３Ａ、移動型ラック３Ｂ及びタンス３Ｃの３種類のものを使用している。先ず、静置型ラック３Ａは、底面板１７と上面板１８、両側面板１９，１９及び背面板２０、更に単又は複数の棚板２１，…から構成されている。移動型ラック３Ｂは、前記静置型ラック３Ａの底面板１７の下面にキャスター２２，…を設けたものであり、その他の構成は静置型ラック３Ａと同じである。そして、タンス３Ｃは、底面板２３と上面板２４、両側面板２５，２５及び背面板（図示せず）、更に上部に棚板２６を設けるとともに、該棚板２６より下方に引出し２７，…を多段に設けたものである。
【００２８】
本実施形態では、前記収納体３の高さは、前記ミドルベッド１の空間部１４内に収容可能なぎりぎりの高さに設定し、静置型ラック３Ａと移動型ラック３Ｂの最上段の棚板２１及びタンス３Ｃの棚板２６の高さを前記机２の天板１０の上面の高さと略一致させている。ここで、「略一致」又は「略同じ」とは、製造誤差を有することと、床面の不陸の影響により「完全に一致」又は「完全に同じ」にはならないことを考慮した表現である。
【００２９】
本実施形態では、前記ミドルベッド１の空間部１４に、静置型ラック３Ａ、移動型ラック３Ｂ及びタンス３Ｃを並べて配置できるようにしている。前記静置型ラック３Ａと移動型ラック３Ｂの横幅は同じであり、前記机２の天板１０の奥行幅にも略一致させている。前記ミドルベッド１の脚体５の前端部内側には、前記収納体３の間の隙間を埋めるための調整板２８を設けている。
【００３０】
そして、前記ミドルベッド１のベッド部４の下方の空間部１４に収納体３，…を配置した状態で、その前面側に机を近接させて配置すると、図１及び図２に示すように、机２の天板１０の高さと、前記収納体３の最上段の棚板２１，２６の高さが略同じであるので、天板１０に連続して棚板２１あるいは棚板２６が位置し、該棚板２１あるいは棚板２６を手元棚として利用することができるのである。尚、前記上部空間１５の高さが十分に確保できるのであれば、前記机２の天板１０の上面の高さと略一致させる棚板２１は最上段でなくても良く、上から二段目の棚板２１でも良い。
【００３１】
尚、前記収納体３の高さを机２の高さと略一致させ、つまり机２の天板１０の上面の高さと、収納体３の上面板１８（２４）の上面の高さを略一致させ、該上面板１８（２４）の上面を手元棚として利用するようにしても良い、あるいは特定の収納体３の最上段の棚板２１と他の収納体３の上面板１８の高さを略同一に設定しても構わない。
【００３２】
図１に示すように、机２の天板１０の後部をミドルベッド１の前面側に近接させて配置すると、前記静置型ラック３Ａと移動型ラック３Ｂの合計横幅と天板１０の横幅が略一致するので外観性が良くなるとともに、天板１０と棚板２１が連続し、しかも棚板２１の両側に側面板１９，１９が位置するので、該側面板１９，１９がブックエンドの働きをするので使い勝手が良くなるのである。また、図２及び図４に示すように、机２の天板１０の側部をミドルベッド１の前面側に近接させて配置すると、前記静置型ラック３Ａの横幅と天板１０の奥行幅が略一致するので外観性が良くなる。前記同様に、静置型ラック３Ａの棚板２１を手元棚として利用できるのである。また、移動型ラック３Ｂの棚板２１も天板１０に接近していて、着座したまま書籍等の物品を出し入れすることができるので、前記同様に手元棚として利用することができる。
【００３３】
前記ボックス体６は、脚部の機能の他に、オープンラックとして使用することができる。他の収容体３との使用方法と異なる使用形態として、ハンガーラックとして使用できるように、棚板は設けずに上面板２９の下面に近い位置で両側面板３０，３０間にハンギングバー３１を横設した構造のものである。勿論、前記ボックス体６の両側面板３０，３０の間に単又は複数の棚板を取付けることも可能である。
【００３４】
本実施形態では、ミドルベッド１の空間部１４の前面側寄りには、前述の静置型ラック３Ａ、移動型ラック３Ｂ及びタンス３Ｃが位置し、そして空間部１４の一側よりでタンス３Ｃの後部には前記ボックス体６が位置し、図４に示すように、収納体３，…の背後には広い空間部が残されている。ところが、前記ミドルベッド１の後面側は室内の壁面が位置する場合が多いので、この残余空間部に直接アクセスすることができない。しかし、本実施形態では、この空間部１４の残余部分に普段は使用しない大型の物品を保管することができる。つまり、前記収納体３，…の内、一つを移動型ラック３Ｂとしているので、該移動型ラック３Ｂを前方へ移動させて、静置型ラック３Ａとタンス３Ｃの間に通路を形成し、該通路を通って大型物品を出し入れすることができる。
【符号の説明】
【００３５】
１  ミドルベッド、        ２  机、
３  収納体、              ３Ａ  静置型ラック、
３Ｂ  移動型ラック、      ３Ｃ  タンス、
４  ベッド部、            ５  脚体、
６  ボックス体、          ７  側部支持板、
８  側柵体、              ９  床部材、
１０  天板、              １１  脚体、
１２  引出し、            １３  ワゴン、
１４  空間部、            １５  上部空間、
１６  梯子、              １７  底面板、
１８  上面板、            １９  側面板、
２０  背面板、            ２１  棚板、
２２  キャスター、        ２３  底面板、
２４  上面板、            ２５  側面板、
２６  棚板、              ２７  引出し、
２８  調整板、            ２９  上面板、
３０  側面板、            ３１  ハンギングバー。